(57)【要約】【課題】スピーカーの出力が大きくなる。【解決手段】ドライヤー本体３にプレイヤー４を組み込み、該プレイヤー４に接続されたスピーカー６を、筒状のドライヤー主体部１の外側面又は内側面に設けた拡散防止筒５内に収容することによって、スピーカー６が小型小出力であっても、使用中の騒音より大きい、使用者が十分に聞き取り可能な音量を確保することを可能にする。【選択図】図１
2013030882.tif 000002
【特許請求の範囲】
【請求項１】
ドライヤー本体にプレイヤーを組み込み、該プレイヤーに接続されたスピーカーを、筒状のドライヤー主体部の外側面又は内側面に設けた拡散防止筒内に収容したことを特徴とするプレイヤー機能付ドライヤー。
【発明の詳細な説明】
【技術分野】
【０００１】
本発明は、小型スピーカーを内蔵して、使用しながら音楽等を聴ける様にしたプレイヤー機能付ドライヤーに関する。
【背景技術】
【０００２】
従来、スピーカーが内蔵されたドライヤーとしては、送風口の近傍に配設したマイクロホンと、送風ファンの回転数に基づいて前記マイクロホンの検知信号レベルが小さくなるように信号処理を行う信号処理手段と、前記送風ファンと前記マイクロホンの間に配設され、前記信号処理手段で処理された信号を音にして発生するスピーカと、メロディ音を発生するメロディ音発生手段と、前記メロディ音発生手段の出力信号と前記信号処理手段の出力信号とを合成処理する合成処理手段とを備え、メロディ音を発生するメロディ音発生手段からの出力信号と、前記マイクロホンの検知信号レベルが小さくなるように前記送風ファンの回転数に基づいて信号処理した出力信号とを、合成処理手段によって合成処理して前記スピーカから音として外部に発することによって、ドライヤーの騒音を軽減するとともに、メロディを聞くことが可能な静音ドライヤーが見受けられる（例えば、特許文献１参照）。
【０００３】
そして、上記静音ドライヤーにあっては、合成処理装置で信号を合成せずにメロディ信号を単独で出力することが可能で、このメロディだけを聞かせることでも、使用者の不快感を軽減することが可能とされている。
【先行技術文献】
【特許文献】
【０００４】
【特許文献１】特開平６−２０９８１８号公報
【発明の概要】
【発明が解決しようとする課題】
【０００５】
しかし、上記従来技術にあっては、スピーカーがドライヤー本体内に単に設置されているだけであり、使用者の不快感を軽減可能な程度の音量を確保するためには、出力の大きいスピーカーを使用せねばならないなど、解決せねばならない課題があった。
【課題を解決するための手段】
【０００６】
本発明は、上記従来技術に基づく、スピーカーの出力が大きくなる課題に鑑み、ドライヤー本体にプレイヤーを組み込み、該プレイヤーに接続されたスピーカーを、筒状のドライヤー主体部の外側面又は内側面に設けた拡散防止筒内に収容することによって、小型小出力のスピーカーであっても、使用中の騒音より大きい、使用者が十分に聞き取り可能な音量を確保することを可能にして、上記課題を解決する。
【発明の効果】
【０００７】
要するに本発明は、スピーカーの出力が大きくなる課題に鑑み、ドライヤー本体にプレイヤーを組み込み、該プレイヤーに接続されたスピーカーを、筒状のドライヤー主体部の外側面又は内側面に設けた拡散防止筒内に収容しているので、スピーカーからの音の殆ど全てを拡散防止筒によって拡散させずにドライヤー主体部側に指向させることが出来るため、スピーカーを小型小出力のものにしても、十分に聞き取り可能な音量を吹出口から使用者の耳元に向けて送り出すことが出来、よって快適な環境下で使用することが出来る等その実用的効果甚だ大である。
【図面の簡単な説明】
【０００８】
【図１】拡散防止筒を外側面に設けたプレイヤー機能付ドライヤーの正面図である。
【図２（ａ）】図１のＡ−Ａ断面図である。
【図２（ｂ）】図２（ａ）の他の実施例の断面図である。
【図２（ｃ）】図２（ａ）の他の実施例の断面図である。
【図３（ａ）】拡散防止筒を内側面に設けたプレイヤー機能付ドライヤーの要部断面図である。
【図３（ｂ）】図３（ａ）の他の実施例の断面図である。
【図３（ｃ）】図３（ａ）の他の実施例の断面図である。
【発明を実施するための形態】
【０００９】
本発明に係るプレイヤー機能付ドライヤーの実施の形態を図面に基づき説明する。
本発明に係るプレイヤー機能付ドライヤーは、基本的に筒状のドライヤー主体部１及び該ドライヤー主体部の下部に配された把手部２とを有するドライヤー本体３と、該ドライヤー本体３に組み込まれた、記憶媒体内に格納されたデータを音声データに再生するプレイヤー４とを有している。
ドライヤー主体部１は、送風ファン（図示せず）及びヒーター（図示せず）が内蔵され、外側面に有底筒状の拡散防止筒５の開口側を一体化し、該拡散防止筒５内にスピーカー６を、出力面をドライヤー主体部１側に向けて収容している。
把手部２には切替ボタン７を設け、下端から接続コード８が延びている。
【００１０】
尚、ドライヤー主体部１に対する拡散防止筒５の一体化とは、図２（ａ）及び図２（ｂ）に示す様に、文字通り外側面に一体形成する構造の他に、図２（ｃ）に示す様に、ドライヤー主体部１と拡散防止筒５を別体として、ドライヤー主体部１の外側面に対し拡散防止筒５を後付けする構造を含み、且つドライヤー主体部１に対し拡散防止筒５が着脱自在とする構造をも含むこととする。
【００１１】
又、図２（ａ）及び図２（ｂ）に示す様に、ドライヤー主体部１と拡散防止筒５の内部空間を連通させて、スピーカー６からの音をそのままドライヤー主体部１の内部空間に流すか、或いは図２（ｃ）に示す様に、スピーカー６をドライヤー主体部１の外側面に接触させて、スピーカー６からの音をドライヤー主体部１の外殻を介して流す様にしている。
【００１２】
又、図面上、拡散防止筒５はドライヤー主体部１の外側面に一体化されているが、内側面に一体化しても良く、その一体化とは、図３（ａ）及び図３（ｂ）に示す様に、文字通り外側面に一体形成する構造の他に、図３（ｃ）に示す様に、ドライヤー主体部１と拡散防止筒５を別体として、ドライヤー主体部１の外側面に対し拡散防止筒５を後付けする構造を含み、更に図３（ａ）及び図３（ｂ）に示す様に、拡散防止筒５の内部空間を外部に連通させるか、或いは図３（ｃ）に示す様に、スピーカー６をドライヤー主体部１の内側面に接触させて、スピーカー６からの音をドライヤー主体部１の外殻を介して流す様にしても良い。
【００１３】
又、拡散防止筒５の内部でのスピーカー６の位置は、図２（ａ）、図２（ｃ）、図３（ａ）及び図３（ｃ）に示す様に、ドライヤー主体部１側に配置するのが望ましいが、図２（ｂ）及び図３（ｂ）に示す様に、拡散防止筒５の底側に配置しても良い。
【００１４】
又、ドライヤー本体３へのプレイヤー４の組み込みとは、図１に示す様に、接続コード８の中間部に配置する構造の他、図示しないが、例えばドライヤー本体３（把手部２）に設けた、スピーカー６に接続された入力端子にプレイヤー４の出力端子を差し込むなどしてドライヤー本体３（把手部２）に対しプレイヤー４を着脱自在とする構造や、ドライヤー本体３（把手部２）にプレイヤー４を内蔵する構造を含むこととする。
【００１５】
尚、図面上、スピーカーは１個でモノラルであるが、２個にしてステレオとしても良い。
【００１６】
次に、本発明に係るプレイヤー機能付ドライヤーの作用について説明する。
使用中にプレイヤー４を「ＯＮ」にすると、スピーカー６から音が出力されるが、その音は、図２（ａ）及び図２（ｂ）に示すものでは、拡散防止筒５によって拡散せずに殆ど全てがドライヤー主体部１の内側に指向し、ドライヤー主体部１の内部空間で更に増幅されて吹出口より使用者の耳元に向けて送り出され、図３（ａ）及び図３（ｂ）に示すものでは、拡散防止筒５によって拡散せずに殆ど全てがドライヤー主体部１の外側に指向して、音量を増大させ、図２（ｃ）及び図３（ｃ）に示すものでは、拡散防止筒５によって拡散せずに殆ど全てがドライヤー主体部１の外殻を介して内部空間に伝播し吹出口より使用者の耳元に向けて送り出される。
【符号の説明】
【００１７】
１  ドライヤー主体部
３  ドライヤー本体
４  プレイヤー
５  拡散防止筒
６  スピーカー
【図１】
2013030882.tif 000003
【図２（ａ）】
2013030882.tif 000004
【図２（ｂ）】
2013030882.tif 000005
【図２（ｃ）】
2013030882.tif 000006
【図３（ａ）】
2013030882.tif 000007
【図３（ｂ）】
2013030882.tif 000008
【図３（ｃ）】
2013030882.tif 000009